(57)【要約】【課題】画像記録装置に対してプリントを指示するときにプリント以外の処理を実行することができる画像記録装置の制御プログラムを提供する。【解決手段】ディジタル複合装置２０のプリンタ３のプリンタドライバのプログラムは、プリンタ３に対するプリントデータを発生するための制御プログラムであり、プリント処理以外の所定の処理の種類を入力し（図４のステップＳ２−Ｓ３）、上記入力された処理の種類を含む動作指示コマンドと、プリント画像データとを含むプリントデータをディジタル複合装置２０に送信する（ステップＳ６、Ｓ８）。従って、クライアントパーソナルコンピュータ３０において、プリント画像データを画像記録装置に送信するときに、プリント処理以外の所定の処理を画像記録装置に対して指示して実行させることができる。【選択図】図４
2005102040.tif 000002
【特許請求の範囲】
【請求項１】
画像記録装置に対するプリントデータを発生するための画像記録装置の制御プログラムにおいて、
プリント処理以外の所定の処理の種類を入力するステップと、
上記入力された処理の種類を含む動作指示コマンドと、プリント画像データとを含むプリントデータを画像記録装置に送信するステップとを含むことを特徴とする画像記録装置の制御プログラム。
【請求項２】
画像記録装置に対する制御信号を発生するための画像記録装置の制御プログラムにおいて、
プリント処理以外の所定の処理の種類を入力するステップと、
上記入力された処理の種類を含む動作指示コマンドを含む制御信号を画像記録装置に送信するステップとを含むことを特徴とする画像記録装置の制御プログラム。
【請求項３】
画像記録装置に対する制御信号を発生するための画像記録装置の制御プログラムにおいて、
プリント処理以外の所定の処理の種類に対応するファイル名を入力するステップと、
上記入力された処理の種類とそれに対応するファイル名との関連付け情報を含む動作指示コマンドを含む制御信号を画像記録装置に送信するステップとを含むことを特徴とする画像記録装置の制御プログラム。
【請求項４】
上記所定の処理は、
（１）上記画像記録装置で受信したプリント画像データを記憶装置に保存する処理と、
（２）上記画像記録装置で受信したプリント画像データを所定の宛先にファクシミリ送信する処理と、
（３）上記画像記録装置で受信したプリント画像データを所定の電子メールアドレスに電子メールを用いて送信する処理と
のうちの少なくとも１つの処理であることを特徴とする請求項１乃至３のうちのいずれか１つに記載の画像記録装置の制御プログラム。
【請求項５】
上記動作指示コマンドは、上記画像記録装置に対してプリント画像データをプリントを指示するための印刷コマンドを含むことを特徴とする請求項１乃至４のうちのいずれか１つに記載の画像記録装置の制御プログラム。
【請求項６】
請求項１乃至５のうちのいずれか１つに記載の画像記録装置の制御プログラムを記録したことを特徴とする記録媒体。
【発明の詳細な説明】
【技術分野】
【０００１】
本発明は、例えば、ディジタル複合装置やプリンタ装置などの画像記録装置に対する画像記録指示信号を発生するための画像記録装置の制御プログラムとそれを記録した記録媒体に関する。
【背景技術】
【０００２】
コピー、プリンタ及びイメージスキャナ機能付きファクシミリ装置であるディジタル複合装置と、パーソナルコンピュータなどの複数のクライアント装置とがローカルエリアネットワーク（以下、ＬＡＮという。）を介して接続してなるＬＡＮシステムが実用化されている。この従来技術のＬＡＮシステムにおいて、ディジタル複合装置内のイメージスキャナは、原稿画像を読み取り画像データに変換した後、各クライアント装置に対応する画像メモリ内のメモリボックスに格納し、各クライアント装置からの転送指示要求信号に応答して画像メモリ内のメモリボックスから画像データを読み出して対応するクライアント装置に対してＬＡＮを介して転送を行う。
【０００３】
例えば、特許文献１においては、「機能の異なる複数のプリンタと、サーバと、複数のクライアントとを接続したネットワークプリンタシステムにおいて、上記サーバは、クライアント毎に使用可能なプリンタを登録するメモリを備えたことを特徴とするネットワークプリンタシステム」が開示されている。
【０００４】
【特許文献１】特開２００２−２５１２７０号公報。
【発明の開示】
【発明が解決しようとする課題】
【０００５】
しかしながら、従来技術のディジタル複合装置やプリンタ装置などの画像記録装置においては、これらに接続されたクライアント装置からプリントを指示したとき、プリント処理を実行するが、それ以外の処理を実行することはできなかった。
【０００６】
本発明の目的は以上の問題点を解決し、画像記録装置に対してプリントを指示するときにプリント以外の処理を実行することができる画像記録装置の制御プログラムとそれを記録した記録媒体を提供することにある。
【課題を解決するための手段】
【０００７】
第１の発明に係る画像記録装置の制御プログラムは、画像記録装置に対するプリントデータを発生するための画像記録装置の制御プログラムにおいて、
プリント処理以外の所定の処理の種類を入力するステップと、
上記入力された処理の種類を含む動作指示コマンドと、プリント画像データとを含むプリントデータを画像記録装置に送信するステップとを含むことを特徴とする。
【０００８】
第２の発明に係る画像記録装置の制御プログラムは、画像記録装置に対する制御信号を発生するための画像記録装置の制御プログラムにおいて、
プリント処理以外の所定の処理の種類を入力するステップと、
上記入力された処理の種類を含む動作指示コマンドを含む制御信号を画像記録装置に送信するステップとを含むことを特徴とする。
【０００９】
第３の発明に係る画像記録装置の制御プログラムは、画像記録装置に対する制御信号を発生するための画像記録装置の制御プログラムにおいて、
プリント処理以外の所定の処理の種類に対応するファイル名を入力するステップと、
上記入力された処理の種類とそれに対応するファイル名との関連付け情報を含む動作指示コマンドを含む制御信号を画像記録装置に送信するステップとを含むことを特徴とする。
【００１０】
上記画像記録装置の制御プログラムにおいて、上記所定の処理は、
（１）上記画像記録装置で受信したプリント画像データを記憶装置に保存する処理と、
（２）上記画像記録装置で受信したプリント画像データを所定の宛先にファクシミリ送信する処理と、
（３）上記画像記録装置で受信したプリント画像データを所定の電子メールアドレスに電子メールを用いて送信する処理と
のうちの少なくとも１つの処理であることを特徴とする。
【００１１】
また、上記画像記録装置の制御プログラムにおいて、上記動作指示コマンドは、上記画像記録装置に対してプリント画像データをプリントを指示するための印刷コマンドを含むことを特徴とする。
【００１２】
第４の発明に係る記録媒体は、上記画像記録装置の制御プログラムを記録したことを特徴とする。
【発明の効果】
【００１３】
従って、第１の発明に係る画像記録装置の制御プログラムによれば、画像記録装置に対するプリントデータを発生するための画像記録装置の制御プログラムにおいて、入力された処理の種類を含む動作指示コマンドと、プリント画像データとを含むプリントデータを画像記録装置に送信するので、プリント画像データを画像記録装置に送信するときに、プリント処理以外の所定の処理を画像記録装置に対して指示して実行させることができる。
【００１４】
また、第２の発明に係る画像記録装置の制御プログラムによれば、画像記録装置に対する制御信号を発生するための画像記録装置の制御プログラムにおいて、入力された処理の種類を含む動作指示コマンドを含む制御信号を画像記録装置に送信するので、プリント画像データを画像記録装置に送信する前に、プリント処理以外の所定の処理を指示しておき、プリント画像データを画像記録装置に送信したとき、上記予め指示したプリント処理以外の所定の処理を、画像記録装置に対して指示して実行させることができる。
【００１５】
さらに、第３の発明に係る画像記録装置の制御プログラムによれば、画像記録装置に対する制御信号を発生するための画像記録装置の制御プログラムにおいて、入力された処理の種類に対応するファイル名を含む動作指示コマンドを含む制御信号を画像記録装置に送信するので、プリント画像データを画像記録装置に送信する前に、処理の種類とそれに対応するファイル名の関連付け情報を送信しておき、プリント画像データを画像記録装置に送信したとき、プリント処理以外の所定の処理をファイル名を用いて、画像記録装置に対して指示して実行させることができる。
【発明を実施するための最良の形態】
【００１６】
以下、本発明に係る実施形態について図面を参照して説明する。なお、同様の構成要素については同一の符号を付している。
【００１７】
＜第１の実施形態＞
図１は、本発明に係る第１の実施形態である、コピー、プリンタ及びイメージスキャナ機能付きのファクシミリ装置であるディジタル複合装置２０を備えたＬＡＮシステムの構成を示すブロック図である。
【００１８】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、イメージスキャナ及びファクシミリの各機能を共通に利用することができるように構成されている。
【００１９】
第１の実施形態において、ディジタル複合装置２０のプリンタ３のプリンタドライバのプログラムは、図２に示すように、予めＣＤ−ＲＯＭ１０９ａなどの記録媒体に格納され、ＣＤ−ＲＯＭ１０９ａをＣＤ−ＲＯＭ１０９に装着してクライアントパーソナルコンピュータ３０のハードディスクドライブ１０８にロードして格納される。当該プリンタドライバのプログラムは、プリンタ３に対するプリントデータを発生するための制御プログラムであり、プリント処理以外の所定の処理の種類を入力し（図４のステップＳ２−Ｓ３）、上記入力された処理の種類を含む動作指示コマンドと、プリント画像データとを含むプリントデータをディジタル複合装置２０に送信する（ステップＳ６、Ｓ８）ことを特徴としている。ここで、処理の種類とは、例えば図６のプリンタドライバの制御画面の画面表示例１０１に示すように、以下の処理である。
（ａ）記憶装置に保存する。
（ｂ）ファクシミリで転送する。
（ｃ）電子メールで転送する。
（ｄ）印刷する。
【００２０】
これに応答して、ディジタル複合装置２０の主制御部１は、クライアントパーソナルコンピュータ３０から、プリント画像データとそれに対する処理の種類を含む動作指示コメントを含むプリントデータを受信し（図５のステップＳ１１でＹＥＳ）、上記受信されたプリント画像データに対して、上記受信された動作指示コメントに含まれる処理の種類に対応する所定の処理を実行するように制御する（ステップＳ１５−Ｓ２０）ことを特徴とする。
【００２１】
図２は、図１のクライアントパーソナルコンピュータ３０の構成を示すブロック図である。
【００２２】
図２において、クライアントパーソナルコンピュータ３０は、公知のパーソナルコンピュータである外部端末装置であって、画像データや文字データの生成や記録、格納などの処理を実行する。クライアントパーソナルコンピュータ３０は、例えば、ディジタル複合装置２０のプリンタ３に対してプリント画像データを含むプリントデータ（ＰＪＬデータ）を送信して当該プリント画像データの画像をプリントすることを指示するクライアント装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、イメージスキャナ及びプリンタ（図示せず。）はオプションで設けられる。表示部１０４は、液晶表示装置（ＬＣＤ）又はＣＲＴディスプレイ等の表示装置であり、当該クライアントパーソナルコンピュータ３０の動作状態を表示したり、送信すべき原稿の画像データ、及び受信した画像データの表示を行う。操作部１０５は、例えばキーボードであり、文字データや指示コマンドを入力するためのものである。
【００２３】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。第１の実施形態では、ハードディスクドライブ１０８は、上述のように、ＣＤ−ＲＯＭ１０９ａからＣＤ−ＲＯＭドライブ１０９を介してロードした、図４の印刷制御処理を含むプリンタドライバのプログラムを格納している。さらに、ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００２４】
図３は、図１のディジタル複合装置２０の構成を示すブロック図である。
【００２５】
図３において、ディジタル複合装置２０は、従来のＧ３方式等のファクシミリ通信機能に加えて、コピー、プリンタ、及びイメージスキャナの各機能、並びに画像データの圧縮符号化機能を備えている。主制御部１は具体的にはＣＰＵで構成されており、バス１３を介して以下のハードウェア各部と接続されていてそれらを制御するほか、後述する種々のソフトウェアの機能を実行する。イメージスキャナ２は、ＣＣＤ等を利用した画像読み取り部で原稿を読み取り、白黒２値に変換したドット画像データを出力する。プリンタ３は例えば電子写真方式等のプリンタ装置であり、イメージスキャナ２により走査されて変換された画像データや他のファクシミリ装置からファクシミリ通信により受信した画像データをハードコピーとしてプリントアウトして記録したり、文字データを記録する。
【００２６】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２７】
ＲＯＭ６は、当該ディジタル複合装置２０の動作に必要であって主制御部１によって実行される種々のソフトウェアのプログラムを予め格納し、本実施形態では、少なくとも、図５の印刷設定処理のプログラムを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。なお、後述する第２の実施形態において、ＲＡＭ７は印刷設定テーブル７ａを含み、第３の実施形態において、ＲＡＭ７はファイル名と処理の種類の関連付け情報テーブル７ｂを含む。
【００２８】
画像メモリ８はＤＲＡＭ等で構成され、送信すべき画像データ又は受信した画像データ、もしくは走査されて変換された画像データを記憶する。ここで、画像メモリ８は、原稿画像データをページ単位で一時的に記憶するためのページバッファ領域８ａを備える。さらに、ハードディスクドライブ９は、記録媒体を内蔵する記憶装置であり、種々のデータやプログラムを格納する。
【００２９】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００３０】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００３１】
以上のように構成されたディジタル複合装置２０のファクシミリ通信機能において、各クライアントパーソナルコンピュータ３０−１乃至３０−Ｎから転送されたドット画像データ、又はイメージスキャナ２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じてプリンタ３でプリントされる。
【００３２】
図４は図１のクライアントパーソナルコンピュータ３０の主制御部１０１によって実行される、第１の実施形態に係る印刷制御処理を示すフローチャートである。
【００３３】
図４において、まず、ステップＳ１においてアプリケーションから印刷を指示したか否かが判断され、ＮＯであるときはステップＳ１の処理を繰り返し、ＹＥＳであるとき、ステップＳ２においてプリンタドライバの指示画面（例えば、図６の画面表示例１０１）を表示部４に表示する。図６の画面表示例１０１は、プリンタドライバの制御画面であって、プリンタの選択、ページの範囲、部数、処理の種類を選択的に設定するための設定部と、印刷、キャンセル、適用などの指示部とを含んでいる。次いで、ステップＳ３において処理の種類を指示したか否かが判断され、ＹＥＳであるときはステップＳ６に進む一方、ＮＯであるときはステップＳ４に進む。ステップＳ４では、印刷（Ｐ）を指示したか否かが判断され、ＹＥＳであるときはステップＳ８に進む一方、ＮＯであるときはステップＳ５に進む。ステップＳ５においてその他の処理を指示したか否かが判断され、ＹＥＳであるときはステップＳ７に進む一方、ＮＯであるときはステップＳ３に戻る。
【００３４】
ステップＳ６では、指示された処理の種類を含む動作指示コマンドを作成した後、ステップＳ３に戻る。ここで、図６の「記憶装置に保存する」を指示したときは、記憶装置保存コマンドを作成し、図６の「ファクシミリで転送する」を指示したときは、ファクシミリ転送コマンドを作成し、図６の「電子メールで転送する」を指示したときは、電子メール転送コマンドを作成し、図６の「印刷する」を指示したときは、印刷コマンドを作成する。また、ステップＳ７において所定のその他の処理を実行した後、ステップＳ３に戻る。さらに、ステップＳ８において動作指示コマンドとプリント画像データを含むプリントデータ（ＰＪＬデータ）をディジタル複合装置２０に送信する。
【００３５】
図５は図１のディジタル複合装置２０の主制御部１によって実行される、第１の実施形態に係る印刷制御処理を示すフローチャートである。
【００３６】
図５において、ステップＳ１１においてクライアントパーソナルコンピュータ３０からプリントデータを受信したか否かが判断され、ＮＯであるときはステップＳ１１の処理を繰り返す一方、ＹＥＳであるとき、ステップＳ１２において受信したプリントデータを解析して動作指示コマンドを抽出する。次いで、ステップＳ１３において印刷コマンドがあるか否かが判断され、ＮＯであるときはステップＳ１５に進む一方、ＹＥＳであるときはステップＳ１４に進む。ステップＳ１４では、受信したプリントデータ内のプリント画像データの画像をプリンタ３を用いてプリントし、ステップＳ１５に進む。また、ステップＳ１５において記憶装置保存コマンドがあるか否かが判断され、ＮＯであるときはステップＳ１７に進む一方、ＹＥＳであるときはステップＳ１６に進む。ステップＳ１６において受信したプリントデータ内のプリント画像データを画像メモリ８に保存し、ステップＳ１７に進む。さらに、ステップＳ１７においてファクシミリ転送コマンドがあるか否かが判断され、ＮＯであるときはステップＳ１９に進む一方、ＹＥＳであるときはステップＳ１８に進む。ステップＳ１８では、受信したプリントデータ内のプリント画像データを指定された宛先番号にファクシミリ送信して転送し、ステップＳ１９に進む。またさらに、ステップＳ１９において電子メール転送コマンドがあるか否かが判断され、ＮＯであるときはステップＳ１１に戻る一方、ＹＥＳであるときはステップＳ２０に進む。ステップＳ２０では、受信したプリントデータ内のプリント画像データを例えばＰＤＦファイル、又はＴＩＦＦファイルに変換し、予め指定された電子メールアドレスに変換した画像データファイルを添付した電子メールで送信して転送し、ステップＳ１１に戻る。
【００３７】
さらに、図４のステップＳ８で送信されるプリントデータ（ＰＪＬデータ）の一例を次の表に示す。なお、←に続く説明はその行又はその前の行についての注釈であり、以下の表において同様である。
【００３８】
［表１］
―――――――――――――――――――――――――――――――――――――――
<ESC>%-12345X                      ←オープニングコマンド（ＰＪＬコマンド開始）
@PJL JOB NAME="example.doc"        ←指定されたドキュメントのジョブの開始
@PJL SET RESOLUTION=600            ←解像度６００ｄｐｉであることを指示
@PJL SET ORIENTATION=PORTRAIT      ←用紙の向きを指示
@PJL SET FAXNUMBER=0123456789  ←ＦＡＸ転送の実行を指示及び転送ＦＡＸ番号の指定
@PJL SET MAILADDRESS=aaa@xxx.com    ←メールの転送の実行を指示
←及び転送メールアドレスの指示
@PJL SET PRINT=ON                   ←プリントの実行を指示
@PJL SET QTY=1                      ←出力部数の指示
@PJL SET OUTBIN=UPPER               ←上段排出トレイを指示
@PJL SET DUPLEX=OFF                 ←両面プリントオフ
@PJL SET SHIFT=OFF                  ←シフトソートオフ
@PJL SET MEDIATYPE=PLAIN            ←普通紙を指示
@PJL SET DENSITY=NORMAL             ←標準濃度を指示
@PJL ENTER LANGUAGE=PCL             ←ＰＤＬの種類（ＰＣＬ５）
………………ドキュメント情報（表２参照）…………………
<ESC>%-12345X                       ←ＰＪＬコマンド開始
@PJL EOJ NAME="example.doc"         ←指定されたドキュメントのジョブの終了
<ESC>%-12345X                       ←クロージングコマンド
―――――――――――――――――――――――――――――――――――――――
【００３９】
なお、ＦＡＸ宛先番号「１１１１１１１１１１」と「２２２２２２２２２２」と「３３３３３３３３３３」に同報で転送する場合は、転送ＦＡＸ番号の指定を下記の通り、コンマ（；）で区切って並べる。
［数１］
@PJL SET FAXNUMBER=1111111111;2222222222;3333333333
【００４０】
また、電子メールアドレスの同報指定についても同様である。
［数２］
@PJL SET MAILADDRESS=aaa@xxx.com;bbb@yyy.com;ccc@zzz.com
【００４１】
さらに、次のように指定されている場合は、ファクシミリ転送コマンドはオフになる。
［数３］
@PJL SET FAXNUMBER=OFF
【００４２】
さらに、ＳＥＴコマンドでＦＡＸＮＵＭＢＥＲの指定が何もない場合もファクシミリ転送コマンドはオフになる。また、次のように指定されている場合は、電子メール転送コマンドはオフになる。
［数４］
@PJL SET MAILADDRESS=OFF
【００４３】
なお、ＳＥＴコマンドでＭＡＩＬＡＤＤＲＥＳＳの指定が何もない場合もメール転送はＯＦＦになる。また、次のように指定されている場合は、印刷コマンドはオフになる。
［数５］
@PJL SET PRINT=OFF
【００４４】
さらに、ＳＥＴコマンドでＰＲＩＮＴの指示が何もない場合は印刷コマンドはオンになる。なお、印刷コマンドがオフに指示されているにもかかわらず、ＳＥＴコマンドでＱＴＹ、ＯＵＴＢＩＮ、ＤＵＰＬＥＸ、ＳＨＩＦＴ、ＭＥＤＩＡＴＹＰＥ、ＤＥＮＳＩＴＹ等のプリントに関するパラメータが指示された場合、無視される。
【００４５】
次いで、ＰＤＬ形式のドキュメント情報のデータフォーマットの一例を以下の表２に示す。
【００４６】
［表２］
―――――――――――――――――――――――――――――――――――――――
<ESC>E          ←プリンタリセット。
<ESC>*t600R     ←ラスタ解像度において_*t#R
<ESC>&u600D     ←プリンタ解像度において_&u#D
<ESC>*r0F       ←物理的用紙方向に対してのラスターデータの向きにおいて_*r#F
←(#は0において回転又は3において固定（デフォルト））
<ESC>&10O       ←向きにおいて_&l#O
←(#は0において縦(デフォルト)、1において横、2において裏縦、又は3において裏横)
<ESC>&10S       ←両面プリント選択において_&l#S
←(#は0において片面、1において両面(LEF)、又は2において両面(SEF))
<ESC>&17H       ←給紙選択において_&l#H(#は0において実行中又は排出中の給紙元、
←1においてトレイ１(デフォルト)、2において手差し(用紙)、3において手差し(封筒)、
←4においてトレイ２、5においてトレイ3、6においてオプション手差し(封筒)、
←7において自動、8において多重手差し、20においてトレイ４、又は21においてトレイ５)
<ESC>&126a8c1E  ←用紙サイズ設定において_&l#A(&126aの部分においてA4(26))
←垂直方向の動き設定において_&l#C(&l...8cの部分)
←トップマージン設定において_&l#E(&l...1Eの部分)
<ESC>*p0x0Y     ←水平、垂直方向のカーソル位置において0
<ESC>*c0t5594x8201Y←画像フレームの定義
<ESC>&l1X       ←部数において_&l#X(1は部数1を意味する)
<ESC>_*b0M      ←ラスター圧縮モードにおいて_*b#M
←(0において符号化無し(デフォルト)、1においてRL、2においてTIFF、...)
<ESC>(19U       ←シンボルセットにおいて_(19UにおいてWin3.1 Latin1)
<ESC>(s16901t0b0s10.5v1P←フォント選択_(s#16901tにおいてTypeface(#t);
←#においてタイプフェースの識別番号
←0bにおいてストロークウエイト(#b)
←#において-7(非常に薄い)〜7(非常に厚い)、0において中間(デフォルト)
←0sにおいてStyle(#s)#において0(アップライト、デフォルト)、1(Italic)...
←10.5vにおいて高さ、ポイントサイズ(#v)#において.25〜999.75
←1pにおいてスペース(#p)#において0(固定、デフォルト)、
←1(プロポーショナル)
<ESC>*p559X     ←水平方向のカーソル位置において_*p#X
<ESC>*p775Y     ←垂直方向のカーソル位置において_*p#Y
1234567890      ←文字列
<ESC>*p559X     ←水平方向のカーソル位置において_*p#X
<ESC>*p925Y     ←垂直方向のカーソル位置において_*p#Y
abcdefghijklmnopqrstuvwxyz    ←文字列
...........................................................
...........................................................
...........................................................
<ESC>
<ESC>E          ←プリンタリセット
―――――――――――――――――――――――――――――――――――――――
【００４７】
以上説明したように、本実施形態によれば、ディジタル複合装置２０のプリンタ３のプリンタドライバのプログラムは、プリンタ３に対するプリントデータを発生するための制御プログラムであり、プリント処理以外の所定の処理の種類を入力し（図４のステップＳ２−Ｓ３）、上記入力された処理の種類を含む動作指示コマンドと、プリント画像データとを含むプリントデータをディジタル複合装置２０に送信する（ステップＳ６、Ｓ８）。これに応答して、ディジタル複合装置２０の主制御部１は、クライアントパーソナルコンピュータ３０から、プリント画像データとそれに対する処理の種類を含む動作指示コメントを含むプリントデータを受信し（図５のステップＳ１１でＹＥＳ）、上記受信されたプリント画像データに対して、上記受信された動作指示コメントに含まれる処理の種類に対応する所定の処理を実行するように制御する（ステップＳ１５−Ｓ２０）。従って、クライアントパーソナルコンピュータ３０において、プリント画像データをディジタル複合装置２０のプリンタ３に送信するときに、プリント処理以外の所定の処理をプリンタ３に対して指示して実行させることができる。すなわち、プリント指示と同時に、ファクシミリ転送や、電子メール転送、記憶装置への保存などを自動的に実行できる。これにより、プリントした原稿を再度イマージスキャナに読み込んで電子メールで転送するといった作業を省略できる。また、画像メモリ８が当該ＬＡＮ７０で共有されておれば、クライアントパーソナルコンピュータ３０からプリント画像データをファイルとして取り出すこともできる。
【００４８】
＜第２の実施形態＞
本発明に係る第２の実施形態では、第１の実施形態における図１乃至図３のハードウエアにおいて、図３のディジタル複合装置２０のＲＡＭ７が印刷設定テーブル７ａを含むことを特徴とし、クライアントパーソナルコンピュータ３０のハードディスクドライブ１０８は、図７の印刷設定処理と、図８のプリンタドライバのプログラムである印刷制御処理のプログラムを格納する一方、ディジタル複合装置２０のハードディスクドライブ９は、図９の印刷制御処理のプログラムを含むことを特徴としている。その他の構成は第１の実施形態と同様である。
【００４９】
第２の実施形態では、クライアントパーソナルコンピュータ３０のプリンタドライバのプログラムは、プリント処理以外の所定の処理の種類を入力し（図７のステップＳ２２−Ｓ２３）、上記入力された処理の種類を含む動作指示コマンドを含む制御信号を画像記録装置に送信する（ステップＳ２８）ことを特徴としている。一方、ディジタル複合装置２０の主制御部１は、クライアントパーソナルコンピュータ３０から、処理の種類を含む動作指示コメントを含む制御信号を受信して、ＲＡＭ７内の印刷設定テーブル７ａに格納するとともに、クライアントパーソナルコンピュータ３０から、プリント画像データを含むプリントデータを受信し（図９のステップＳ４１）、上記受信されたプリント画像データに対して、上記受信された動作指示コメントに含まれる処理の種類に対応する所定の処理を実行するように制御する（ステップＳ４２−Ｓ４９）ことを特徴としている。
【００５０】
図７は図１のクライアントパーソナルコンピュータ３０の主制御部１０１によって実行される、第２の実施形態に係る印刷設定処理を示すフローチャートである。
【００５１】
図７のステップＳ２１において、まず、ブラウザを起動し、プリンタ３のウェブ画面を開いたとき、ステップＳ２２においてプリンタ設定の指示画面（例えば、図１０の画面表示例１０２）を表示する。ここで、図１０の画面表示例は印刷設定の画面であって、処理の種類を選択的に設定するための設定部と、設定、キャンセルなどの指示部とを含んでいる。次いで、ステップＳ２３において処理の種類を指示したか否かが判断され、ＹＥＳであるときはステップＳ２６に進む一方、ＮＯであるときはステップＳ２４に進む。ステップＳ４では、設定を指示したか否かが判断され、ＹＥＳであるときはステップＳ２８に進む一方、ＮＯであるときはステップＳ２５に進む。ステップＳ２５においてその他の処理を指示したか否かが判断され、ＹＥＳであるときはステップＳ２７に進む一方、ＮＯであるときはステップＳ２３に戻る。
【００５２】
ステップＳ２６では、指示された処理の種類を含む動作指示コマンドを作成した後、ステップＳ２３に戻る。ここで、図１０の「記憶装置に保存する」を指示したときは、記憶装置保存コマンドを作成し、図１０の「ファクシミリで転送する」を指示したときは、ファクシミリ転送コマンドを作成し、図１０の「電子メールで転送する」を指示したときは、電子メール転送コマンドを作成し、図１０の「印刷する」を指示したときは、印刷コマンドを作成する。また、ステップＳ２７において所定のその他の処理を実行した後、ステップＳ２３に戻る。さらに、ステップＳ２８において動作指示コマンドを含む制御信号をディジタル複合装置２０に送信して当該印刷設定処理を終了する。上記動作指示コマンドを含む制御信号に応答して、ディジタル複合装置２９の主制御部は受信した制御新語内の動作指示コマンドを印刷設定テーブル７ａに格納する。
【００５３】
図８は図１のクライアントパーソナルコンピュータ３０の主制御部１０１によって実行される、第２の実施形態に係る、プリンタドライバの印刷制御処理を示すフローチャートである。
【００５４】
図８のステップＳ３１において、まず、アプリケーションから印刷を指示したか否かが判断され、ＮＯであるときはステップＳ３１の処理を繰り返し、ＹＥＳとなったときに、ステップＳ３２において公知のプリンタドライバの指示画面を表示部４に表示する。次いで、ステップＳ３３において印刷を指示したか否かが判断され、ＮＯであるときはステップＳ３４に進む一方、ＹＥＳであるときはステップＳ３６に進む。ステップＳ３４においてその他の処理を指示したか否かが判断され、ＮＯであるときはステップＳ３３に戻る一方、ＹＥＳであるときはステップＳ３５に進み、所定のその他の処理を実行した後、ステップＳ３３に戻る。さらに、ステップＳ３６においてプリント画像データを含むプリントデータ（ＰＪＬデータ）をディジタル複合装置２０に送信し、ステップＳ３１に戻る。
【００５５】
図９は図１のディジタル複合装置２０の主制御部１によって実行される、第２の実施形態に係る印刷制御処理を示すフローチャートである。
【００５６】
図９のステップＳ４１において、まず、クライアントパーソナルコンピュータ３０からプリントデータを受信したか否かが判断され、ＮＯであるときは、ステップＳ４１の処理を繰り返し、ＹＥＳとなったときに、ステップＳ４２において印刷設定テーブル７ａで印刷指示が設定されているか否かが判断される。ここで、ＮＯであるときはステップＳ４４に進む一方、ＹＥＳであるときはステップＳ４３に進む。ステップＳ４３において受信したプリントデータ内のプリント画像データの画像をプリンタ３を用いてプリントし、ステップＳ４４に進む。次いで、ステップＳ４４において印刷設定テーブル７ａで記憶装置保存指示が設定されているか否かが判断され、ＮＯであるときはステップＳ４６に進む一方、ＹＥＳであるときはステップＳ４５に進む。ステップＳ４５において受信したプリントデータ内のプリント画像データを画像メモリ８に保存し、ステップＳ４６に進む。ステップＳ４６において印刷設定テーブル７ａでファクシミリ転送指示が設定されているか否かが判断され、ＮＯであるときはステップＳ４８に進む一方、ＹＥＳであるときはステップＳ４７に進む。ステップＳ４７において受信したプリントデータ内のプリント画像データを予め指定された宛先番号にファクシミリ送信して転送し、ステップＳ４７に進む。さらに、ステップＳ４８において印刷設定テーブル７ａで電子メール転送指示が設定されているか否かが判断され、ＮＯであるときはステップＳ４１に戻る一方、ＹＥＳであるときはステップＳ４９に進む。ステップＳ４９において受信したプリントデータ内のプリント画像データを例えばＰＤＦファイル、又はＴＩＦＦファイルに変換し、予め指定された電子メールアドレスに変換した画像データファイルを添付した電子メールで送信して転送し、ステップＳ４１に戻る。
【００５７】
以上説明したように、本実施形態によれば、クライアントパーソナルコンピュータ３０のプリンタドライバのプログラムは、プリント処理以外の所定の処理の種類を入力し（図７のステップＳ２２−Ｓ２３）、上記入力された処理の種類を含む動作指示コマンドを含む制御信号を画像記録装置に送信する（ステップＳ２８）。一方、ディジタル複合装置２０の主制御部１は、クライアントパーソナルコンピュータ３０から、処理の種類を含む動作指示コメントを含む制御信号を受信して、ＲＡＭ７内の印刷設定テーブル７ａに格納するとともに、クライアントパーソナルコンピュータ３０から、プリント画像データを含むプリントデータを受信し（図９のステップＳ４１）、上記受信されたプリント画像データに対して、上記受信された動作指示コメントに含まれる処理の種類に対応する所定の処理を実行するように制御する（ステップＳ４２−Ｓ４９）。従って、プリント画像データをディジタル複合装置２０のプリンタ３に送信する前に、プリント処理以外の所定の処理を指示しておき、プリント画像データをディジタル複合装置２０に送信したとき、上記予め指示したプリント処理以外の所定の処理を、プリンタ３に対して指示して実行させることができる。すなわち、プリント指示と同時に、ファクシミリ転送や、電子メール転送、記憶装置への保存などを自動的に実行できる。これにより、プリントした原稿を再度イマージスキャナに読み込んで電子メールで転送するといった作業を省略できる。また、画像メモリ８が当該ＬＡＮ７０で共有されておれば、クライアントパーソナルコンピュータ３０からプリント画像データをファイルとして取り出すこともできる。
【００５８】
＜第３の実施形態＞
本発明に係る第３の実施形態では、第１の実施形態における図１乃至図３のハードウエアにおいて、図３のディジタル複合装置２０のＲＡＭ７がファイル名と処理の種類の関連付け情報テーブル７ｂを含むことを特徴とし、クライアントパーソナルコンピュータ３０のハードディスクドライブ１０８は、図１１の印刷設定処理と、図１２のプリンタドライバのプログラムである印刷制御処理のプログラムを格納する一方、ディジタル複合装置２０のハードディスクドライブ９は、図１３の印刷制御処理のプログラムを含むことを特徴としている。その他の構成は第１の実施形態と同様である。
【００５９】
第３の実施形態では、クライアントパーソナルコンピュータ３０のプリンタ３の動作設定するためのプログラムは、プリント処理以外の所定の処理の種類に対応するファイル名を入力し（図１１のステップＳ５２−Ｓ５３）、上記入力された処理の種類とそれに対応するファイル名との関連付け情報を含む動作指示コマンドを含む制御信号をディジタル複合装置２０に送信する（ステップＳ６０）ことを特徴としている。一方、ディジタル複合装置２０の主制御部１は、クライアントパーソナルコンピュータ３０から、処理の種類とそれに対応するファイル名の関連付け情報を含む動作指示コメントを含む制御信号を受信して、ＲＡＭ７内の関連付け情報テーブル７ｂに格納し、クライアントパーソナルコンピュータ３０から、プリント画像データとそのファイル名を含むプリントデータを受信したとき（図１３のステップＳ７１でＹＥＳ）、上記格納された関連付け情報に基づいて上記受信されたファイル名に対応する処理の種類を検索し（ステップＳ７２）、上記受信されたプリント画像データに対して、上記検索した所定の処理を実行するように制御する（ステップＳ７１−Ｓ８０）ことを特徴としている。
【００６０】
図１１は、図１のクライアントパーソナルコンピュータ３０の主制御部１０１によって実行される、第３の実施形態に係る印刷設定処理を示すフローチャートである。
【００６１】
図１１のステップＳ５１において、まず、ブラウザを起動し、プリンタ３のウェブ画面を開き、ステップＳ５２においてプリンタ設定の指示画面（例えば、画面表示例１０３）を表示する。ここで、図１４の画面表示例は印刷設定の画面であって、ファイル名と処理の種類との関連付けの設定を行い、各ファイル名に対して同時に印刷するかしないかを設定するための設定部と、設定、キャンセルなどの指示部とを含んでいる。すなわち、所定のファイル名を指定したときに、それに対応する所定の処理を実行し、かつ印刷を同時に実行し又は実行しないように設定できる。
【００６２】
次いで、ステップＳ５３において処理の種類ｉｉ対応するファイル名を入力して指示したか否かが判断され、ＹＥＳであるときはステップＳ５７に進む一方、ＮＯであるときはステップＳ５４に進む。ステップＳ５４において設定を指示したか否かが判断され、ＹＥＳであるときはステップＳ６０に進む一方、ＮＯであるときはステップＳ５５に進む。ステップＳ５５において同時印刷を指示し又は非同時印刷を指示したか否かが判断され、ＹＥＳであるときはステップＳ５８に進み、ＮＯであるときはステップＳ５６に進む。ステップＳ５６においてその他の処理を指示したか否かが判断され、ＹＥＳであるときはステップＳ９でその他の処理を実行してステップＳ５３に戻る一方、ＮＯであるときはステップＳ５３に戻る。ステップＳ５７において指示された処理の種類とそれに対応するファイル名の関連付け情報を含む動作指示コマンドを作成し、ステップＳ５３に戻る。また、ステップＳ５８において維持された内容を含む動作指示コマンドを作成し、ステップＳ５３に戻る。さらに、ステップＳ６０において動作指示コマンドを含む制御信号をディジタル複合装置２０に送信して当該印刷設定処理を終了する。ディジタル複合装置２０では、上記動作指示コマンドを含む制御信号を受信したとき、当該動作指示コマンドに含まれる関連付け情報をＲＡＭ７の関連付け情報テーブル７ｂに格納する。
【００６３】
図１２は図１のクライアントパーソナルコンピュータ３０の主制御部１０１によって実行される、第３の実施形態に係る印刷制御処理を示すフローチャートである。
【００６４】
図１２のステップＳ６１において、まず、アプリケーションから印刷を指示したか否かが判断され、ＮＯであるときはステップＳ６１の処理を繰り返し、ＹＥＳとなったときに、ステップＳ６２において公知のプリンタドライバの指示画面を表示部４に表示する。次いで、ステップＳ６３において印刷を指示したか否かが判断され、ＮＯであるときはステップＳ６４に進む一方、ＹＥＳであるときはステップＳ６６に進む。ステップＳ６４においてその他の処理を指示したか否かが判断され、ＮＯであるときはステップＳ６３に戻る一方、ＹＥＳであるときはステップＳ６５に進み、所定のその他の処理を実行した後、ステップＳ６３に戻る。さらに、ステップＳ６６においてプリント画像データ及びそのファイル名を含むプリントデータ（ＰＪＬデータ）をディジタル複合装置２０に送信し、ステップＳ６１に戻る。
【００６５】
図１３は図１のディジタル複合装置２０の主制御部１によって実行される、第３の実施形態に係る印刷制御処理を示すフローチャートである。
【００６６】
図１３のステップＳ７１において、まず、クライアントパーソナルコンピュータ３０からプリントデータを受信したか否かが判断され、ＮＯであるときは、ステップＳ７１の処理を繰り返し、ＹＥＳとなったとき、ステップＳ７２において受信したプリントデータを解析して動作指示コマンドを抽出し、その中からファイル名を抽出し、関連付け情報テーブル７ａを参照して処理の種類を検索する。次いで、ステップＳ７３において記憶装置保存処理が指示されているか否かが判断され、ＮＯであるときはステップＳ７５に進む一方、ＹＥＳであるときはステップＳ７４に進む。ステップＳ７４において受信したプリントデータ内のプリント画像データを画像メモリ８に保存し、ステップＳ７５に進む。そして、ステップＳ７５において検索した処理でファクシミリ転送処理が指示されているか否かが判断され、ＮＯであるときはステップＳ７７に進む一方、ＹＥＳであるときはステップＳ７６に進む。ステップＳ７６において受信したプリントデータ内のプリント画像データを予め指定された宛先番号にファクシミリ送信して転送し、ステップＳ７７に進む。ステップＳ７７において検索した処理でメール転送処理が指示されているか否かが判断され、ＮＯであるときはステップＳ７９に進む一方、ＹＥＳであるときはステップＳ７８に進む。ステップＳ７８において受信したプリントデータ内のプリント画像データを例えばＰＤＦファイル、又はＴＩＦＦファイルに変換し、予め指定された電子メールアドレスに変換した画像データファイルを添付した電子メールで送信して転送し、ステップＳ７９に進む。ステップＳ７９において検索した処理で同時印刷が指示されているか否かが判断され、ＮＯであるときはステップＳ７１に戻る一方、ＹＥＳであるときはステップＳ８０に進む。ステップＳ８０において受信したプリントデータ内のプリント画像データの画像をプリンタ３を用いてプリントし、ステップＳ７１に戻る。
【００６７】
さらに、本実施形態で用いるＰＪＬデータの一例を次の表に示す。
【００６８】
［表３］
―――――――――――――――――――――――――――――――――――――――
<ESC>%-12345X                     ←オープニングコマンド（ＰＪＬコマンド開始）
@PJL JOB NAME="print_command.doc"      ←指定されたドキュメントのジョブ開始
@ PJL SET RESOLUTION=600               ←解像度６００ｄｐｉであることを指示
@ PJL SET ORIENTATION=PORTRAIT         ←用紙の向きを指示
@PJL SET QTY=1                         ←出力部数の指示
@PJL SET OUTBIN=UPPER                  ←上段排出トレイを指示
@PJL SET DUPLEX=OFF                    ←両面プリントオフ
@PJL SET SHIFT=OFF                     ←シフトソートオフ
@PJL SET MEDIATYPE=PLAIN               ←普通紙を指示
@PJL SET DENSITY=NORMAL                ←標準濃度を指示
@PJL ENTER LANGUAGE=PCL                ←ＰＤＬの種類（ＰＣＬ５）
……………ドキュメント情報（表２参照）……………
<ESC>%-12345X                          ←ＰＪＬコマンド開始
@PJL EOJ NAME="pirnt_command.doc"      ←指定されたドキュメントのジョブ終了
<ESC>%-12345X                          ←クロージングコマンド
―――――――――――――――――――――――――――――――――――――――
【００６９】
本実施形態では、ディジタル複合装置２０のＲＡＭ７内の関連付け情報テーブル７ｂにおいて、動作指示コマンドとファイル名との関連付けを設定しておく。そして、動作指示コマンド「print_command」においてプリントを実行し、動作指示コマンド「fax_command」においてファクシミリ転送を実行し、動作指示コマンド「mail_command」においてメール転送を実行する。また、ファクシミリ転送とメール転送については、宛先の登録もディジタル複合装置２０で予め入力して登録しておき、関連付け情報テーブル７ｂに格納しておくものとする。本実施形態では、コマンド「@PJL JOB NAME」で指定されたファイル名（拡張子を除く）を抽出し、ディジタル複合装置２０の関連付け情報テーブル７ｂに登録されたファイル名と比較して、動作の指示を決定し、登録されていないファイル名である場合は、ファクシミリ転送、メール転送ともに実行せず、プリントのみ行う。
【００７０】
以上説明したように、本実施形態によれば、クライアントパーソナルコンピュータ３０のプリンタ３の動作設定するためのプログラムは、プリント処理以外の所定の処理の種類に対応するファイル名を入力し（図１１のステップＳ５２−Ｓ５３）、上記入力された処理の種類とそれに対応するファイル名との関連付け情報を含む動作指示コマンドを含む制御信号をディジタル複合装置２０に送信する（ステップＳ６０）。一方、ディジタル複合装置２０の主制御部１は、クライアントパーソナルコンピュータ３０から、処理の種類とそれに対応するファイル名の関連付け情報を含む動作指示コメントを含む制御信号を受信して、ＲＡＭ７内の関連付け情報テーブル７ｂに格納し、クライアントパーソナルコンピュータ３０から、プリント画像データとそのファイル名を含むプリントデータを受信したとき（図１３のステップＳ７１でＹＥＳ）、上記格納された関連付け情報に基づいて上記受信されたファイル名に対応する処理の種類を検索し（ステップＳ７２）、上記受信されたプリント画像データに対して、上記検索した所定の処理を実行するように制御する（ステップＳ７１−Ｓ８０）。従って、プリント画像データを画像記録装置に送信する前に、処理の種類とそれに対応するファイル名の関連付け情報を送信しておき、プリント画像データを画像記録装置に送信したとき、プリント処理以外の所定の処理をファイル名を用いて、画像記録装置に対して指示して実行させることができる。すなわち、プリント指示と同時に、ファクシミリ転送や、電子メール転送、記憶装置への保存などを自動的に実行できる。これにより、プリントした原稿を再度イマージスキャナに読み込んで電子メールで転送するといった作業を省略できる。また、画像メモリ８が当該ＬＡＮ７０で共有されておれば、クライアントパーソナルコンピュータ３０からプリント画像データをファイルとして取り出すこともできる。
【００７１】
＜変形例＞
以上の実施形態においては、ディジタル複合装置２０の例について述べているが、本発明はこれに限らず、例えばプリンタ装置などプリンタ機能を有する画像記録装置に広く適用することができる。
【図面の簡単な説明】
【００７２】
【図１】本発明に係る実施形態である、コピー、プリンタ及びイメージスキャナ機能付きのファクシミリ装置であるディジタル複合装置２０を備えたＬＡＮシステムの構成を示すブロック図である。
【図２】図１のクライアントパーソナルコンピュータ３０の構成を示すブロック図である。
【図３】図１のディジタル複合装置２０の構成を示すブロック図である。
【図４】図１のクライアントパーソナルコンピュータ３０の主制御部１０１によって実行される、第１の実施形態に係る印刷制御処理を示すフローチャートである。
【図５】図１のディジタル複合装置２０の主制御部１によって実行される、第１の実施形態に係る印刷制御処理を示すフローチャートである。
【図６】図４のステップＳ２で表示されるプリンタドライバの指示画面の画面表示例１０１を示す正面図である。
【図７】図１のクライアントパーソナルコンピュータ３０の主制御部１０１によって実行される、第２の実施形態に係る印刷設定処理を示すフローチャートである。
【図８】図１のクライアントパーソナルコンピュータ３０の主制御部１０１によって実行される、第２の実施形態に係る印刷制御処理を示すフローチャートである。
【図９】図１のディジタル複合装置２０の主制御部１によって実行される、第２の実施形態に係る印刷制御処理を示すフローチャートである。
【図１０】図７のステップＳ２２で表示されるプリンタ設定の指示画面の画面表示例１０２を示す正面図である。
【図１１】図１のクライアントパーソナルコンピュータ３０の主制御部１０１によって実行される、第３の実施形態に係る印刷設定処理を示すフローチャートである。
【図１２】図１のクライアントパーソナルコンピュータ３０の主制御部１０１によって実行される、第３の実施形態に係る印刷制御処理を示すフローチャートである。
【図１３】図１のディジタル複合装置２０の主制御部１によって実行される、第３の実施形態に係る印刷制御処理を示すフローチャートである。
【図１４】図１１のステップＳ５２で表示されるプリンタ設定の指示画面の画面表示例１０３を示す正面図である。
【符号の説明】
【００７３】
１…主制御部、
２…イメージスキャナ、
３…プリンタ、
４…表示部、
５…操作部、
６…ＲＯＭ、
７…ＲＡＭ、
７ａ…印刷設定テーブル、
７ｂ…ファイル名と処理の種類の関連付け情報テーブル、
８…画像メモリ、
８ａ…ページバッファ領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０６…ＲＯＭ、
１０７…ＲＡＭ、
１０８…ハードディスクドライブ、
１０９…ＣＤ−ＲＯＭドライブ、
１０９ａ…ＣＤ−ＲＯＭ、
１１２…ＬＡＮインターフェース、
１１３…バス。
【図１】
2005102040.tif 000003
【図２】
2005102040.tif 000004
【図３】
2005102040.tif 000005
【図４】
2005102040.tif 000006
【図５】
2005102040.tif 000007
【図６】
2005102040.tif 000008
【図７】
2005102040.tif 000009
【図８】
2005102040.tif 000010
【図９】
2005102040.tif 000011
【図１０】
2005102040.tif 000012
【図１１】
2005102040.tif 000013
【図１２】
2005102040.tif 000014
【図１３】
2005102040.tif 000015
【図１４】
2005102040.tif 000016